(57)【要約】【課題】エンジン本体に装着される外装体であって、装着箇所に限定されること無く、安全で、良好な防塵性を得る。【解決手段】エンジン外装体２は、エンジン本体１に装着される枠体２０と、枠体２０の表面に突設される軸部２１と、軸部２１に抜け止め状態で遊嵌される孔部２２ａを備え、エンジン本体１からの動力伝達を受けること無くエンジン本体動作時に軸部２１に伝わる振動によって軸部２１周りに回転する回転体２２を備える。【選択図】図２
2015203332.tif 000002
【特許請求の範囲】
【請求項１】
エンジン本体（１）に装着される枠体（２０）と、
前記枠体（２０）の表面に突設される軸部（２１）と、
前記軸部（２１）に抜け止め状態で遊嵌される孔部（２２ａ）を有しエンジン本体（１）からの動力伝達を受けること無くエンジン本体動作時に前記軸部（２１）に伝わる振動によって前記軸部（２１）周りに回転する回転体（２２）を備えることを特徴とするエンジン外装体（２）。
【請求項２】
前記枠体（２０）はエンジン本体（１）に装備された冷却風取り入れ口（１１Ａ）を有するカバー（１１）であり、
前記回転体（２２）は前記カバー（１１）の冷却風取り入れ口（１１Ａ）表面に沿って回転することを特徴とする請求項１記載のエンジン外装体（２）。
【請求項３】
前記回転体（２２）は、前記孔部（２２ａ）を中心に備える長辺部材であることを特徴とする請求項１又は２記載のエンジン外装体（２）。
【請求項４】
前記回転体（２２）が熱伝導性の高い材料で形成されていることを特徴とする請求項１〜３のいずれか１項記載のエンジン外装体（２）。
【請求項５】
前記軸部（２１）の外径寸法に対する前記孔部（２２ａ）の内径寸法の比を１．１０〜１．２０にしたことを特徴とする請求項１〜４のいずれか１項に記載のエンジン外装体（２）。
【請求項６】
前記回転体（２２）は、回転方向に対面する側面が回転方向に沿った傾斜面又は湾曲面を有することを特徴とする請求項１〜５のいずれかに記載のエンジン外装体（２）。
【発明の詳細な説明】
【技術分野】
【０００１】
本発明は、エンジン本体に装着されるエンジン外装体に関するものである。
【背景技術】
【０００２】
エンジンは、内部燃焼によって給気・排気部やピストンシリンダを含むエンジン本体が高温に加熱されるため、このエンジン本体に直接人手が触れないようにカバーなどの外装体を装着することが一般になされている。また、クランク軸の回転によって駆動する駆動輪（駆動プーリ）や冷却ファンに対しても、これらに人手が触れないように、これらを覆う外装体が装備されている。
【０００３】
下記特許文献１には、前述した外装体の一つであるファンカバーにおける防塵装置が示されている。この従来技術は、ファンカバーの冷却風取り入れ口の全面に、その冷却風取り入れ口の全体にわたって往復または回転によって動作する防塵体を設けたものであり、防塵体は、ファンカバーの内部に設けられる冷却ファンと一体に高速回転することで、冷却風取り入れ口に塵が詰まるのを防止している。
【先行技術文献】
【特許文献】
【０００４】
【特許文献１】実開昭４８−２１０２５号公報
【発明の概要】
【発明が解決しようとする課題】
【０００５】
草刈り機などの作業機に用いられるエンジンは、エンジン本体に装着される外装体に塵が付着することが問題になる。冷却ファンを覆うカバーに塵が付着すると冷却風の取り入れが妨げられることになり、また、キャブレターに接続されるエアクリーナ周辺に塵が付着するとエアクリーナのメンテナンスを頻繁に行うことが必要になる。このような塵の付着に対しては、従来技術に示されるような防塵体を設けてこれを回転させることが有効である。しかしながら、従来技術のようにエンジンの出力回転を動力伝達して防塵体を回転させようとすると、防塵体の装着箇所が限定的にならざるを得ず、また、冷却ファンと一体に高速回転する防塵体がカバーの外側で回転することになるので、安全対策として設けられているカバーが無意味になる。更には、エンジン出力の一部が防塵体の回転駆動に奪われてしまうことも問題になる。
【０００６】
また、当然のことながら、エンジンを長時間使用する際にはエンジン本体各部の温度上昇を抑えることが必要になる。特にキャブレター温度の上昇はエンジンを再起動させる際の起動性悪化を招くことになるので、このような温度上昇は可能な限り避けたいところである。このため、エンジン本体に装着させる外装体はより放熱性の高いものが求められる。
【０００７】
本発明は、このような問題に対処することを課題の一例とするものである。すなわち、エンジン本体に装着される外装体であって、装着箇所が限定されること無く、安全で、良好な防塵性を得ることができること、また、良好な放熱性を得ることができること、等が本発明の目的である。
【課題を解決するための手段】
【０００８】
このような目的を達成するために、本発明によるエンジン外装体は、明細書に記載された幾つかの発明のうち以下の構成を具備するものである。
【０００９】
エンジン本体に装着される枠体と、前記枠体の表面に突設される軸部と、前記軸部に抜け止め状態で遊嵌される孔部を有しエンジン本体からの動力伝達を受けること無くエンジン本体動作時に軸部に伝わる振動によって前記軸部周りに回転する回転体を備えることを特徴とするエンジン外装体。
【発明の効果】
【００１０】
このような特徴を有するエンジン外装体によると、エンジン本体の振動によって回転する回転体を備えるので、エンジン本体の何処に装着してもエンジン本体動作時に回転して高い防塵性を得ることができる。また、回転体を熱伝導性の高い材料で形成することで、エンジン動作時に回転する回転体から効率よく放熱することができる。更に、回転体はエンジンからの動力伝達を受けること無く回転するので出力ロスが無く、また手で触れる程度で大きな抵抗無く止めることができるため、カバーなどの外側に設ける場合にも安全性が確保できる。
【図面の簡単な説明】
【００１１】
【図１】エンジンの一般構成を示した説明図である。
【図２】本発明の実施形態に係るエンジン外装体の要部を示した説明図である（（ａ）が縦断面図、（ｂ）が平面図、（ｃ）がＸ−Ｘ断面図）。
【図３】本発明の実施形態に係るエンジン外装体における回転体の他の形態例を示した説明図である。
【図４】本発明の実施形態に係るエンジン外装体の具体例を示した説明図である。
【発明を実施するための形態】
【００１２】
以下、図面を参照して本発明の実施形態を説明する。図１は、エンジンの一般構成を示した説明図である。エンジンＥＧは、エンジン本体１とこれに装着されるエンジン外装体２によって構成される。エンジン本体１は、クランクケースやシリンダヘッドなどによって構成される。ここで言うエンジン外装体２は、冷却ファン１０、冷却ファン１０を覆うカバー１１、燃料タンク１２、エアクリーナ１３、キャブレター１４など、エンジン本体１に装着されるものを一般に指す。
【００１３】
図２は、本発明の実施形態に係るエンジン外装体の要部を示した説明図である。エンジン外装体２は、エンジン本体（図示省略）に装着される枠体２０と、枠体２０の表面に突設される軸部２１と、軸部２１に抜け止め状態で遊嵌される孔部２２ａを有する回転体２２を備える。軸部２１には軸部２１を保護するカラー２１ｓが圧入されており、その周囲に孔部２２ａが遊嵌している。
【００１４】
ここで、回転体２２は、軸部２１に孔部２２ａが抜け止め状態で遊嵌されることで、エンジン本体からの動力伝達を受けること無くエンジン本体動作時に軸部２１に伝わる振動によって軸部２１周りに回転する。回転体２２が連続的に回転するためには、エンジン本体を動作させ続けることが必要になる。この際、回転体２２はエンジン本体の出力軸の回転から動力を得て回転するものでもなければ、冷却ファンの回転によって生じる冷却風の風圧によって回転するものでもなく、エンジン本体が動作時に発生する振動によって回転する。
【００１５】
回転体２２が回転する原理は、エンジン本体が発生する振動によってエンジン本体に装着されている枠体２０が振動し、これによって枠体２０の表面に突設されている軸部２１に振れが生じる。そして、この軸部２１の振れが孔部２２ａの内面に片当たりすることで、軸部２１周りに回転体２２を回転させる。
【００１６】
ここで、孔部２２ａの内径は軸部２１の外径に対して大きく形成されており、その寸法比は、（孔部２２ａの内径）／（軸部２１の外径）＝１．１０〜１．２０程度にすることが好ましい。軸部２１の外径に対して孔部２２ａの内径を大きくしすぎると、軸部２１の振れが孔部２２ａの内表面に伝わり難くなり、軸部２１の外径に対して孔部２２ａの内径を小さくしすぎると、軸部２１の外周と孔部２２ａの内表面との摩擦が大きくなって回転体２２の自由回転が得られ難くなる。回転体２２の回転速度は軸部２１の外径と孔部２２ａの内表面とのクリアランスによって調整可能で有り、防塵性と安全性の両面を考慮して適宜設定することができる。
【００１７】
図２に示したエンジン外装体２の回転体２２は、一方向に長い板状の長辺部材で構成されている。そして、回転体２２の背面側が枠体２０の表面に対して面接触しないように軸部２１に対して軸支されている。このように回転体２２の背面側を枠体２０の表面から離間させることで、少ない抵抗で回転体２２を回転させることができる。また、図２に示した回転体２２は、一例として台形状の断面形状を有している（図２（ｃ）参照）。このような断面形状にすることで、回転体２２の回転方向に対面する側面２２ｅが回転方向に沿った傾斜面になり、その傾斜面に沿って円滑に塵を除去することができる。また、回転体２２の断面形状は、図２（ｄ）に示すような三角形状や図２（ｅ）に示すような湾曲面を有する凸形状であってもよく、前述した回転体２２の回転方向に対面する側面２２ｅは直線的な傾斜面である必要は無く回転方向に沿った湾曲面などであってもよい。
【００１８】
このような特徴を備える本発明の実施形態に係るエンジン外装体２は、エンジン作動時に枠体２０の表面に沿って回転する回転体２２を備えるので、枠体２０の表面に塵が付着するのを抑止することができる。これによって、枠体２０が冷却風取り入れ口を構成する場合には、塵の付着による冷却効果の低下を抑止することができ、継続的なエンジン動作に対して良好なエンジン性能を維持することができる。
【００１９】
また、本発明の実施形態に係るエンジン外装体２は、回転体２２を回転させるのにエンジンの出力回転からの動力伝達を必要としないので、エンジン本体１の様々な部位に装着して、回転体２２の回転による防塵効果を得ることができる。エンジン本体１の振動で回転する回転体２２は、人手に触れても大きな抵抗無く停止し、エンジンの動作中であれば人手が離れると再び回転するので、エンジン外装体２の表面に露出した状態で回転体２が回転していても安全である。また、異物が回転体２２と枠体２０の間に喰い込んで回転体２２の回転が妨げられる場合であっても、回転体２２とエンジンは何ら動力の繋がりがないのでエンジンに無用な負荷を与えることが無い。
【００２０】
そして、エンジン本体１の様々な部位に装着されるエンジン外装体２において、その表面で回転体２２を回転させることができるので、枠体２０から軸部２１に伝わった熱を回転体２２から放熱することができ、高温になるエンジン本体１及び枠体２０の各部位に対して効果的な放熱が可能になる。回転体２２は自身が風を切って回転するので、この回転体２２を備えるエンジン外装体２は良好な放熱性を得ることができる。特に、枠体２０，軸部２１，回転体２２をアルミなど熱伝導性の高い材料で形成することで放熱効果を高めることができる。
【００２１】
図３は、本発明の実施形態に係るエンジン外装体における回転体の他の形態例を示した説明図である。回転体２２は、バランス良く孔部２２ａを備えるものであれば、どのような形態であってもよい。例えば、図３（ａ）に示すように、長辺を孔部２２ａに対して９０°間隔で四方に延ばした形態であってもよいし、図３（ｂ）に示すように、長辺を孔部２２ａに対して等間隔で八方に延ばした形態などであってもよい。
【００２２】
図４は、本発明の実施形態に係るエンジン外装体の具体例を示している。（ａ）がエンジン本体に装着した状態を示しており、（ｂ）がエンジン外装体の要部を示している。図４（ａ）に示すように、エンジンＥＧは、エンジン本体１に対して、カバー１１、燃料タンク１２、エアクリーナ１３、キャブレター１４、マフラーカバー（或いはマフラー）１５などのエンジン外装体を備えている。この例では、カバー１１が回転体２２を備えたエンジン外装体２になっている。
【００２３】
このエンジン外装体２は、冷却風取り入れ口１１Ａを有するカバー１１に枠体２０を設けており、冷却風取り入れ口１１Ａからの突出成形部２１ａ，その突出成形部２１ａに螺合したネジ２１ｂ，それらの外周に配置したカラー２１ｃ，ワッシャ２１ｄによって軸部２１が構成され、この軸部２１は冷却風取り入れ口１１Ａの略中心に設けられている。この軸部２１には、抜け止め状態で遊嵌される孔部２２ａを有する回転体２２が軸支されている。ここでは、回転体２２の長さを１１０ｍｍとし、軸部２１の軸径を７．８ｍｍ，軸長を５．９ｍｍとし、孔部２２ａの内径を８．８ｍｍとしている。
【００２４】
このようなエンジン外装体２は、エンジンＥＧを始動させると、エンジン本体１動作時に軸部２１に伝わる振動によって回転体２２が冷却風取り入れ口１１Ａの表面に沿って回転する。この例では、エンジン回転数に応じて回転体２２の回転数も高くなる。具体的には、エンジン回転数を３０００〜６０００ｒｐｍの範囲で徐々に大きくした場合には、回転体２２の回転数は２８０〜５７０ｒｐｍの範囲で徐々に大きくなった。そして、このエンジン外装体２を備えたエンジンＥＧは、草刈り作業機に用いた場合にもカバー１１への塵の付着は殆ど確認されず、冷却ファンによる良好な空冷効果を維持することができた。
【００２５】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００２６】
１：エンジン本体，２：エンジン外装体，
１０：冷却ファン，１１：カバー，１２：燃料タンク，
１３：エアクリーナ，１４：キャブレター，１５：マフラーカバー，
２０：枠体，２１：軸部，２２ａ：孔部，２２：回転体，
ＥＧ：エンジン
【図１】
2015203332.tif 000003
【図２】
2015203332.tif 000004
【図３】
2015203332.tif 000005
【図４】
2015203332.tif 000006